(57)【要約】      （修正有）【課題】環境衛生を保ち、実用性を向上させると共に、自然的美感を具え、植物との美的調和をとることができ、表面に絵図を描いたり、彫刻を施すことができる水土耕両用鉢を提供する。【解決手段】水土耕両用鉢の構造を提供するもので、底座１０と木質外筒２０と内鉢３０とからなり、底座は内部に貯水槽１１を有し、外部底端に環凸縁１２を形成し、木質外筒は底座外周に枢軸嵌合でき、底座の環凸縁により下端を固定でき、内鉢は底座内側に設置することができ、上端に凸環縁を有することにより、木質外筒の上端に固定され、内鉢の底端は排水孔３２を有し、且つ底座の貯水槽底面とある一定の距離をおいて設置される構成とされる。【選択図】図２
0003100998.tif 000002
【実用新案登録請求の範囲】
【請求項１】
底座と、木質外筒と、内鉢とからなり、
上記底座は内部に貯水槽を有し、外部底端に環凸縁を形成し、
上記木質外筒は上端と下端とが貫通され、内径は上記底座の外径に嵌まる大きさとすることにより、上記木質外筒は上記底座外周に枢軸嵌合し、上記底座の上記環凸縁により下端を固定し、
上記内鉢は上記底座内側に設置可能であり、上端に凸環縁を有することにより、上記木質外筒の上端に固定され、上記内鉢の底端は排水孔を有し、上記底座の上記貯水槽底面と所定の距離をおいて設置されることを特徴とする水土耕両用鉢。
【請求項２】
上記内鉢上端の上記凸環縁は、下向きに曲げられ、上記木質外筒の上端に固定される構造であることを特徴とする請求項１記載の水土耕両用鉢。
【請求項３】
上記内鉢上端の上記凸環縁の外径は、上記木質外筒の上端外径と同径であることを特徴とする請求項１記載の水土耕両用鉢。
【請求項４】
上記内鉢は、１つの中空管を具備する構造でもよく、上記中空管上端に上記内鉢上端より突出する１つの透明管部を有し、上記中空管内には１つの浮標を具備し、
上記透明管部に相対する上記浮標上端の位置を見ることにより、上記浮標の高さをはかることが可能であり、上記底座の上記貯水槽内に水或は栄養液を入れたとき、上記浮標が水面に浮く為、上記浮標の上端が水位を示すことを特徴とする請求項１記載の水土耕両用鉢。
【請求項５】
上記透明管部は、上端に更に１つの造型物を挿入して密封設置することを特徴とする請求項１記載の水土耕両用鉢。
【考案の詳細な説明】
【技術分野】
【０００１】
本考案は水土耕両用鉢に係るものであり、特に、底座と木質外筒と内鉢とからなる水土耕両用鉢に係るものである。
【背景技術】
【０００２】
従来の鉢の構造において、土耕用鉢について言えば、一般的には底に排水孔が設けられており、植物に水を与える時、余った水が底から漏れ出すこととなる。これにより、地面を濡らしてしまうので使用者は鉢の底に下受けを置くが、この状態で使用を続けると、下受けの中に常時水が溜ってしまう。従って、従来の鉢において上記欠点を改良した構造の鉢を開発するかが、関係業界では開発目標となっている。
【０００３】
本考案人は上記課題に取り組み、関係する製品の開発及び設計に従事し、上記の目標に焦点をしぼり、研究を行ない、設計もより精密になり、試験と評価を繰り返し、ついに実用性のある本考案が完成した。
【考案の開示】
【考案が解決しようとする課題】
【０００４】
しかしながら、従来の鉢及び下受けを室外に置いた場合、下受けに溜まった水に蚊が発生し易くなり、環境衛生に悪影響を与えてしまうという問題点があった。
【０００５】
また、従来の土耕用鉢の上に飾りを置く場合、鉢の上から水をかけることにより、飾りが倒れて外観上見栄えが悪くなり、その都度、飾りを立て直す必要があり、実用性に欠けるという問題点があった。
【０００６】
また、従来の水耕鉢について言えば、一般的にはプラスチック製の外鉢内に内鉢を設置する構造であるが、この種のプラスチック射出製成の鉢は自然的美感を具えることが難しい為、植物との美的調和をとることが難しく、また、表面に絵図を描いたり、彫刻を施したりするのが難しいと言う欠点がある。
【０００７】
本考案は、環境衛生を保ち、実用性を向上させると共に、自然的美感を具え、植物との美的調和をとることができ、表面に絵図を描いたり、彫刻を施すことができる水土耕両用鉢を提供することを目的とする。
【課題を解決するための手段】
【０００８】
前記の目的を図るために、請求項１に記載されるように、本考案は、底座と、木質外筒と、内鉢とからなり、上記底座は内部に貯水槽を有し、外部底端に環凸縁を形成し、上記木質外筒は上端と下端とが貫通され、内径は上記底座の外径に嵌まる大きさとすることにより、上記木質外筒は上記底座外周に枢軸嵌合し、上記底座の上記環凸縁により下端を固定し、上記内鉢は上記底座内側に設置可能であり、上端に凸環縁を有することにより、上記木質外筒の上端に固定され、上記内鉢の底端は排水孔を有し、上記底座の上記貯水槽底面と所定の距離をおいて設置されることにより環境衛生を保ち、実用性を向上させると共に、自然的美感を具え、植物との美的調和をとることができ、表面に絵図を描いたり、彫刻を施すことができる。
【０００９】
前記の目的を図るために、請求項２に記載されるように、本考案は、上記内鉢上端の上記凸環縁が下向きに曲げられ、上記木質外筒の上端に固定される構造であることにより、環境衛生を保ち、実用性を向上させることができる。
【００１０】
前記の目的を図るために、請求項３に記載されるように、本考案は、上記内鉢上端の上記凸環縁の外径は、上記木質外筒の上端外径と同径であることにより、環境衛生を保ち、実用性を向上させることができる。
【００１１】
前記の目的を図るために、請求項４に記載されるように、本考案は、上記内鉢は、１つの中空管を具備する構造でもよく、上記中空管上端に上記内鉢上端より突出する１つの透明管部を有し、上記中空管内には１つの浮標を具備し、上記透明管部に相対する上記浮標上端の位置を見ることにより、上記浮標の高さをはかることが可能であり、上記底座の上記貯水槽内に水或は栄養液を入れたとき、上記浮標が水面に浮く為、上記浮標の上端が水位を示すことにより、環境衛生を保ち、実用性を向上させることができる。
【００１２】
前記の目的を図るために、請求項５に記載されるように、本考案は、上記透明管部は、上端に更に１つの造型物を挿入して密封設置することにより、環境衛生を保ち、実用性を向上させることができる。
【考案の効果】
【００１３】
本考案の水土耕両用鉢において、鉢内の水或は栄養液が外部と隔離されている為、蚊の発生を防止することができ、衛生上好ましい。
【００１４】
また、本考案の水土耕両用鉢において、木質外筒は自然的美観を具えることができる為、植物との美的調和を得ることができる。
【００１５】
また、本考案の水土耕両用鉢において、業者或は消費者が木質外筒上に字、絵図を描いたり、彫刻を施したりできる為、多様化する消費者の要求に答えることができる。
【００１６】
また、本考案の水土耕両用鉢において、水を与える時、本考案の内鉢を取り出し、底座内に水を入れ、再び内鉢を底座内に戻す為、内鉢上に設置した飾りが倒れたりすることはなく、且つ、与える水の量を正確にコントロールすることができる為、植物の根が腐るのを防ぐことができ、鉢を衛生的に保つことができる。
【考案を実施するための最良の形態】
【００１７】
以下に添付図面を参照して本考案のある好適な実施の形態を詳細に説明するが、それらの構成は本考案の構造の絶対的な制限にならない。図１は、本考案の一実施例に係る水土耕両用鉢を示す斜視図である。図２は、本考案の水土耕両用鉢を示す分解斜視図である。
図３は、本考案の水土耕両用鉢の水を入れていない状態を示す断面図である。図４は、本考案の水土耕両用鉢の水を入れた状態を示す断面図である。図５は、本考案の水土耕両用鉢に植物を植えた状態を示す側面図である。図６は、本考案の内鉢の局部を示す断面図である。図１、２、３に示すように、本考案の水土耕両用鉢の構造において、主に、底座１０と木質外筒２０と内鉢３０とで構成されている。底座１０は内部に貯水槽１１を有し、外部底端に環凸縁１２が形成されている。木質外筒２０は、木或は竹を材料とし製成されたもので、上端と下端とが貫通されている。内径は底座１０の外径にちょうど嵌まる大きさとすることにより、木質外筒２０は底座１０外周に枢軸嵌合でき、底座１０の環凸縁１２により下端を固定できる。
【００１８】
内鉢３０は、底座１０内側に設置することができ、上端に凸環縁３１、３１０を有することにより、木質外筒２０の上端に固定される。内鉢３０の底端は排水孔３２を有し、排水孔３２と底座１０の貯水槽１１とは連通し、且つ底座１０の貯水槽１１底面と所定の距離をおいて設置される（図３）。
【００１９】
内鉢３０上端の凸環縁３１は下向きに曲げられ、木質外筒２０の上端に固定される構造でもよい（図３）。或は凸環縁３１０のように木質外筒２０の上端外径より突出しない構造、即ち、内鉢３０上端の凸環縁３１０の外径は、木質外筒の上端外径と同径であってもよい。
【００２０】
内鉢３０は１つの中空管３３を具備する構造でもよく、中空管３３上端に内鉢３０上端より突出する１つの透明管部３４を有し、中空管３３内に１つの浮標３５を具備する。透明管部３４に相対する浮標３５上端の位置を見ることにより、浮標３５の高さをはかることができる。底座１０の貯水槽１１内に水或は栄養液を入れた時、浮標３５が水面に浮く為、浮標３５の上端が水位を示すことができる（図４）。また、透明管部３４は上端に更に１つの造型物３６を挿入し、密封設置してもよい。
【００２１】
図５において、木質外筒２０は自然的美観を具えることができる為、植物との美的調和を得ることができ、業者或は消費者が木質外筒２０上に字、絵図を描いたり、彫刻を施したりできる。
【００２２】
従って、本考案の水土耕両用鉢において、鉢内の水或は栄養液が外部と隔離されている為、蚊の発生を防止することができ、衛生上好ましい。
【００２３】
また、本考案の水土耕両用鉢において、木質外筒は自然的美観を具えることができる為、植物との美的調和を得ることができる。
【００２４】
また、本考案の水土耕両用鉢において、業者或は消費者が木質外筒上に字、絵図を描いたり、彫刻を施したりできる為、多様化する消費者の要求に答えることができる。
【００２５】
また、本考案の水土耕両用鉢において、水を与える時、本考案の内鉢を取り出し、底座内に水を入れ、再び内鉢を底座内に戻す為、内鉢上に設置した飾りが倒れたりすることはなく、且つ、与える水の量を正確にコントロールすることができる為、植物の根が腐るのを防ぐことができ、鉢を衛生的に保つことができる。
【００２６】
尚、本考案の水土耕両用鉢は上記の構成や形状に限定されることなく、本考案の水土耕両用鉢を変形及び改良した構成においても適応可能である。
【図面の簡単な説明】
【００２７】
【図１】本考案の一実施例に係る水土耕両用鉢を示す斜視図である。
【図２】本考案の水土耕両用鉢を示す分解斜視図である。
【図３】本考案の水土耕両用鉢の水を入れていない状態を示す断面図である。
【図４】本考案の水土耕両用鉢の水を入れた状態を示す断面図である。
【図５】本考案の水土耕両用鉢に植物を植えた状態を示す側面図である。
【図６】本考案の内鉢の局部を示す断面図である。
【符号の説明】
【００２８】
１０            底座
１１            貯水槽
１２            環凸縁
２０            木質外筒
３０            内鉢
３１、３１０    凸環縁
３２            排水孔
３３            中空管
３４            透明管部
３５            浮標
３６            造型物
【図１】
0003100998.tif 000003
【図２】
0003100998.tif 000004
【図３】
0003100998.tif 000005
【図４】
0003100998.tif 000006
【図５】
0003100998.tif 000007
【図６】
0003100998.tif 000008